(57)【要約】【課題】噴射ボタンに収納された吸蔵体に対する浸潤噴射時に、同時に気中にも噴射し得る浸潤用噴射ボタンを提供する。【解決手段】噴射ボタン１０の嵌着部１２の先端部に吐出口１７が形成され、噴射ボタン１０内における嵌着部１２の外周に吸蔵体１５が収納され、吐出口１７の上方で空間部を介して対面する噴射ボタン上面部に、吐出口１７から噴射された内容液を部分的に吸蔵体１５に向けて反射により飛散させる反射面１３ａと、残り部分の内容液を気中に噴射させる噴射口１８とが形成されいる。【選択図】          図１
2004175385.tif 000002
【特許請求の範囲】
【請求項１】
エアゾール容器の頭部に突設されたバルブステムに嵌着する嵌着部を備えると共に、押下げ操作によりバルブステムから内容液を吐出させて吸蔵体を浸潤させるようになった浸潤用噴射ボタンにおいて、
噴射ボタンの嵌着部の先端部に吐出口が形成され、
前記噴射ボタン内における前記嵌着部の外周に吸蔵体が収納され、
前記吐出口の上方で空間部を介して対面する前記噴射ボタン上面部に、前記吐出口から噴射された内容液を部分的に前記吸蔵体に向けて反射により飛散させる反射面と、残り部分の前記内容液を気中に噴射させる噴射口とが形成されたことを特徴とする浸潤用噴射ボタン。
【請求項２】
噴射ボタンの外周面に、この外周面から側方へ突出する操作部が形成されていることを特徴とする請求項１記載の浸潤用噴射ボタン。
【請求項３】
噴射ボタン上面部における噴射口の外周領域が操作部として形成されていることを特徴とする請求項１記載の浸潤用噴射ボタン。
【発明の詳細な説明】
【０００１】
【発明の属する技術分野】
本発明は、エアゾール容器の頭部に突設されたバルブステムに嵌着する嵌着部を備えると共に、押下げ操作によりバルブステムから芳香剤、消臭剤等の内容液を吐出させて吸蔵体を浸潤させるようになったエアゾール容器用の浸潤用噴射ボタンに関するものである。
【０００２】
【従来の技術】
この種の浸潤用噴射ボタンとしては、実開平１−１６７３６４号公報により、ダニ退治用の針を刺針する畳及び芳香剤を吸蔵するフェルト等を浸潤対象物として、この浸潤対象物を浸潤させるための浸潤噴射又は通常の気中噴射を選択的に行う切換式のエアゾール噴射装置が周知である。
【０００３】
【発明が解決しようとする課題】
これにより、内容液を気中に噴射することなく、浸潤対象物を浸潤させることができるが、浸潤噴射時に実際に浸潤対象物に対して噴射が行われているか否か視認できない問題がある。また、芳香剤又は消臭剤の場合を噴射ボタン内に収納した吸蔵体に浸潤させる場合に、即効性のために同時に気中に噴射させたい場合もある。
【０００４】
本発明は、このような点に鑑みて、噴射ボタンに収納された吸蔵体に対する浸潤噴射時に、同時に気中にも噴射し得る浸潤用噴射ボタンを提供することを目的とする。
【０００５】
【課題を解決するための手段】
本発明は、この目的を達成するために、請求項１により、エアゾール容器の頭部に突設されたバルブステムに嵌着する嵌着部を備えると共に、押下げ操作によりバルブステムから内容液を吐出させて吸蔵体を浸潤させるようになった浸潤用噴射ボタンにおいて、噴射ボタンの嵌着部の先端部に吐出口が形成され、噴射ボタン内における嵌着部の外周に吸蔵体が収納され、吐出口の上方で空間部を介して対面する噴射ボタン上面部に、吐出口から噴射された内容液を部分的に吸蔵体に向けて反射により飛散させる反射面と、残り部分の内容液を気中に噴射させる噴射口とが形成されたことを特徴とする。
【０００６】
噴射ボタンが押下げ操作されると、吐出口から噴射された内容液が反射面で部分的に反射飛散させられて吸蔵体を浸潤させて内溶液を吸蔵させると共に、残り部分は噴射口から気中へ噴射される。
【０００７】
【発明の実施の形態】
図１を基に本発明の実施の形態の一例によるエアゾール容器用の浸潤用噴射ボタンを説明する。例えば芳香剤を内溶液とするエアゾール容器１の頭部では、目金蓋４の上端に取付けられたマウンティングカップ２に設けられたチルト式の弁のバルブステム３が上方へ突出している。噴射ボタン１０は、押下げ操作により傾倒してステム孔を開放させるバルブステム３に装着されると共に、目金蓋４の巻締め部４ａに下端部で外係合するカバーキャップ２０が付属している。
【０００８】
噴射ボタン１０は、円筒状の外周面部１１の中心部にバルブステム３に内周面の段差部で嵌着するパイプ状の嵌着部１２が形成され、開口した上端部には上方からキャップ１３が装着される。嵌着部１２の周囲における底面部１４及びキャップ１３間には、例えばフェルト片である筒状の吸蔵体１５が収納されている。外周面部１１には、カバーキャップ２０の周面の開口部２１から筒状の操作基部１６ａが突設され、その先端にプレート状操作部１６が垂直下方へ向けて形成されている。
【０００９】
嵌着部１２の先端部に円形の吐出口１７が形成され、噴射ボタン１０の上面部であるカバーキャップ１３の上面部における吐出口１７の半円領域の上方位置には、側方へ相対的に拡大された噴射口１８が形成され、さらにその噴射液を放出させるように、カバーキャップ２０の上面には周壁２４付きの開口部２５が形成されている。吐出口１７の中心線に対する噴射口１８の中心線の角度θは１５°程度に設定されている。さらに、キャップ１３の上面の四方には、吸蔵体１５の上端面に連通する気孔１９が形成されている。カバーキャップ１３の上面部における吸蔵体１５よりも内側で、かつ噴射口１８の周辺領域は、噴射された内容液を部分的に吸蔵体１５に向けて反射させる反射面１３ａとなる。
【００１０】
このように構成された浸潤用噴射ボタンの動作は次の通りである。操作部１６の下端部分１６ｂを外周面部１１に向けて矢印Ａ方向へ押すと、噴射ボタン１０に連動してバルブステム３も傾倒することにより、吐出口１７から芳香剤が垂直上方へ向けて噴射される。これにより、一部は噴射口１８から開口部２５を経由して気中へ噴射されると共に、残りの部分は噴射口１８の周囲のキャップ１３の上面部の反射面１３ａで反射・飛散されて吸蔵体１５を浸潤し、また残りの一部は直接浸潤する。これにより、押下げ操作の終了した通常状態で芳香剤は気孔１９或いは噴射口１８から徐々に気化して長期にわたり芳香を発する。
【００１１】
図３は別の実施の形態による携帯用の浸潤用噴射ボタンを示すもので、前述のものと同一もしくは同等部分は同一符号で説明する。即ち、図１においてエアゾール容器１が小形化されると共に、カバーキャップ２０が廃止され、噴射ボタン１０の外周面部１１に突設された操作部１６も廃止されている。これにより、携帯時にポケット或いはハンドバッグ等に容易に収納することができる。また、キャップ１３の上面部の噴射口１８の周辺領域が操作部として機能する。この周辺領域を指で下方へ押すと、噴射口１８から内溶液が直接気中へ噴射されると共に、残り部分は吸蔵体１５に吸蔵される。
【００１２】
【発明の効果】
請求項１の発明によれば、吸蔵体に内容液を吸蔵させる際に、気中にも噴射されることにより、浸潤噴射の状態が確認できると共に、周辺の外気に対して芳香剤、消臭剤等の即効性が得られる。操作部は、請求項２の発明により噴射ボタンの周面或いは請求項３の発明によりに上面に形成される。
【図面の簡単な説明】
【図１】本発明の実施の形態による浸潤用噴射ボタンの断面図である。
【図２】同噴射ボタンの上面の平面図である。
【図３】別の実施の形態による浸潤用噴射ボタンの断面図である。
【符号の説明】
３  バルブステム
１０  噴射ボタン
１２  嵌着部
１３ａ  反射面
１５  吸蔵体
１６  操作部
１７  吐出口
１８  噴射口
２０  カバーキャップ
【図１】
2004175385.tif 000003
【図２】
2004175385.tif 000004
【図３】
2004175385.tif 000005